(57)【要約】【課題】紙葉類の表裏を反転させるにあたり、紙葉類全体を一度に１８０°回転させる場合と比較して紙葉類が変位する領域の高さを抑えることができ、また、紙葉類の表裏を反転させる途中で詰まり等のトラブルが生じた場合にもこのような紙葉類の詰まりを容易に解除することができる表裏反転装置および紙葉類処理機を提供する。【解決手段】表裏反転装置４０は、第１搬送部５０により搬送される紙葉類の幅方向における一部分を搬送方向を中心として所定回りに第１の角度だけ変位させるガイド部６０と、第１搬送部５０から受け渡された紙葉類を搬送方向に沿って搬送する第２搬送部７０とを備えている。第２搬送部７０は、第１搬送部５０から受け渡された紙葉類のうちガイド部６０により変位させられた部分を搬送方向を中心として所定回りに更に第２の角度だけ変位させる。【選択図】図３
2018140862.tif 000002
【特許請求の範囲】
【請求項１】
紙葉類を所定の搬送方向に沿って搬送する第１搬送部と、
前記第１搬送部により搬送される紙葉類の幅方向における一部分を前記搬送方向を中心として所定回りに第１の角度だけ変位させるガイド部と、
紙葉類の前記搬送方向における前記第１搬送部の下流側に設けられ、前記第１搬送部から受け渡された紙葉類を前記搬送方向に沿って搬送する第２搬送部と、
を備え、
前記第２搬送部は、前記第１搬送部から受け渡された紙葉類のうち前記ガイド部により前記第１の角度だけ変位させられた部分を前記搬送方向を中心として前記所定回りに更に第２の角度だけ変位させながら当該紙葉類を前記搬送方向に沿って搬送するようになっており、
前記第１の角度および前記第２の角度の合計が略１８０°である、表裏反転装置。
【請求項２】
前記第１の角度および前記第２の角度はそれぞれ略９０°である、請求項１記載の表裏反転装置。
【請求項３】
前記第１搬送部による紙葉類の搬送面に直交する方向において、前記第１搬送部の位置と、前記第２搬送部の入口部分の位置とが互いに異なる、請求項１または２記載の表裏反転装置。
【請求項４】
前記第１搬送部は、互いに表面が接触する一対の第１ベルトまたは互いに外周面が接触する一対の第１ローラを有しており、前記第１搬送部において紙葉類は一対の前記第１ベルトの間または一対の前記第１ローラの間で搬送されるようになっており、
前記第１搬送部による紙葉類の搬送面に直交する方向において、前記第１搬送部における一対の前記第１ベルトの間または一対の前記第１ローラの間に形成されるニップ部の位置と、前記第２搬送部の入口部分の位置とが互いに異なる、請求項３記載の表裏反転装置。
【請求項５】
前記第２搬送部は、互いに表面が接触する一対の第２ベルトまたは互いに外周面が接触する一対の第２ローラを有しており、前記第２搬送部において紙葉類は一対の前記第２ベルトの間または一対の前記第２ローラの間で搬送されるようになっている、請求項３または４記載の表裏反転装置。
【請求項６】
前記ガイド部は、前記第１搬送部による紙葉類の搬送面に対して前記搬送方向において傾斜している傾斜部分を含む、請求項１乃至５のいずれか一項に記載の表裏反転装置。
【請求項７】
前記第２搬送部の入口部分は、前記表裏反転装置の幅方向における中央位置からずれた位置に設けられている、請求項１乃至６のいずれか一項に記載の表裏反転装置。
【請求項８】
前記第２搬送部により第２の角度だけ変位させられる紙葉類の幅方向における一部分が、当該紙葉類の幅方向における中央位置からずれた位置となるよう、前記第２搬送部が配置されている、請求項１乃至７のいずれか一項に記載の表裏反転装置。
【請求項９】
紙葉類の表裏を判別する判別部と、
前記判別部による判別結果に基づいて紙葉類の表裏を反転させるか否かを判断する制御部と、
前記制御部により表裏を反転させる必要があると判断された紙葉類を搬送する第１搬送機構と、
前記制御部により表裏を反転させる必要がないと判断された紙葉類を搬送する第２搬送機構と、
前記制御部による判断に基づいて紙葉類を前記第１搬送機構および前記第２搬送機構のうちいずれか一方に送る選別部と、
を備え、
請求項１乃至８のいずれか一項に記載の表裏反転装置が前記第１搬送機構に設けられている、紙葉類処理機。
【発明の詳細な説明】
【技術分野】
【０００１】
本発明は、紙葉類の表裏を反転させる表裏反転装置およびこのような表裏反転装置を備えた紙葉類処理機に関する。
【背景技術】
【０００２】
紙幣の入金処理や出金処理等の様々な処理を行う紙幣処理機として従来から様々なタイプのものが知られている。一般的な紙幣処理機では、紙幣投入口により筐体の外部から内部に投入された紙幣は筐体の内部で１枚ずつ搬送され、識別部により識別された後、例えば金種毎に複数の集積部に分類され、各集積部において紙幣が積層状態で集積されるようになっている。また、各集積部に積層状態で集積される紙幣の表裏を揃えるため、紙幣の表裏を反転させる表裏反転装置が搬送部に設けられる場合がある。このような表裏反転装置として、例えば特許文献１乃至３等に開示されるものが従来から知られている。
【先行技術文献】
【特許文献】
【０００３】
【特許文献１】特公平３−５８９８４号公報
【特許文献２】米国特許第６３７１３０３号
【特許文献３】特開２００４−２６９１６０号公報
【発明の概要】
【発明が解決しようとする課題】
【０００４】
特許文献１乃至３等に開示される従来の表裏反転装置では、搬送部から送られた紙幣を所定の搬送方向に沿って搬送しながら当該搬送方向を中心として紙幣全体を一度に１８０°回転させることにより紙幣の表裏を反転させていた。しかしながら、このような従来の表裏反転装置では紙幣全体が搬送方向を中心として一度に１８０°回転するため、紙幣の幅方向の長さ分だけ表裏反転装置の内部スペースの高さを確保しなければならず、紙幣処理機における表裏反転装置の設置スペースに制約が生じてしまうという問題があった。また、紙幣全体を一度に１８０°回転させる場合には紙幣を回転させる機構の構造が複雑となるため、紙幣を回転させる途中で詰まり等のトラブルが生じた場合には、このような紙幣の詰まりを解除するのに手間がかかりメンテナンス性が悪いという問題があった。
【０００５】
本発明は、このような点を考慮してなされたものであり、紙葉類の表裏を反転させるにあたり、紙葉類全体を一度に１８０°回転させる場合と比較して紙葉類が変位する領域の高さを抑えることができ、また、紙葉類の表裏を反転させる途中で詰まり等のトラブルが生じた場合にもこのような紙葉類の詰まりを容易に解除することができる表裏反転装置および紙葉類処理機を提供することを目的とする。
【課題を解決するための手段】
【０００６】
本発明の表裏反転装置は、紙葉類を所定の搬送方向に沿って搬送する第１搬送部と、前記第１搬送部により搬送される紙葉類の幅方向における一部分を前記搬送方向を中心として所定回りに第１の角度だけ変位させるガイド部と、紙葉類の前記搬送方向における前記第１搬送部の下流側に設けられ、前記第１搬送部から受け渡された紙葉類を前記搬送方向に沿って搬送する第２搬送部と、を備え、前記第２搬送部は、前記第１搬送部から受け渡された紙葉類のうち前記ガイド部により前記第１の角度だけ変位させられた部分を前記搬送方向を中心として前記所定回りに更に第２の角度だけ変位させながら当該紙葉類を前記搬送方向に沿って搬送するようになっており、前記第１の角度および前記第２の角度の合計が略１８０°であることを特徴とする。
【０００７】
このような表裏反転装置によれば、第１搬送部により搬送される紙葉類の幅方向における一部分をガイド部によって搬送方向を中心として所定回りに第１の角度だけ変位させた後、第１搬送部から受け渡された紙葉類のうちガイド部により第１の角度だけ変位させられた部分を第２搬送部によって搬送方向を中心として所定回りに更に第２の角度だけ変位させることにより、紙葉類の表裏を反転させるにあたり、紙葉類全体を一度に１８０°回転させる場合と比較して紙葉類が変位する領域の高さを抑えることができ、また、紙葉類の表裏を反転させる途中で詰まり等のトラブルが生じた場合にもこのような紙葉類の詰まりを容易に解除することができる。
【０００８】
本発明の表裏反転装置においては、前記第１の角度および前記第２の角度はそれぞれ略９０°であってもよい。
【０００９】
本発明の表裏反転装置においては、前記第１搬送部による紙葉類の搬送面に直交する方向において、前記第１搬送部の位置と、前記第２搬送部の入口部分の位置とが互いに異なるようになっていてもよい。
【００１０】
この場合、前記第１搬送部は、互いに表面が接触する一対の第１ベルトまたは互いに外周面が接触する一対の第１ローラを有しており、前記第１搬送部において紙葉類は一対の前記第１ベルトの間または一対の前記第１ローラの間で搬送されるようになっており、前記第１搬送部による紙葉類の搬送面に直交する方向において、前記第１搬送部における一対の前記第１ベルトの間または一対の前記第１ローラの間に形成されるニップ部の位置と、前記第２搬送部の入口部分の位置とが互いに異なるようになっていてもよい。
【００１１】
また、前記第２搬送部は、互いに表面が接触する一対の第２ベルトまたは互いに外周面が接触する一対の第２ローラを有しており、前記第２搬送部において紙葉類は一対の前記第２ベルトの間または一対の前記第２ローラの間で搬送されるようになっていてもよい。
【００１２】
本発明の表裏反転装置においては、前記ガイド部は、前記第１搬送部による紙葉類の搬送面に対して前記搬送方向において傾斜している傾斜部分を含んでいてもよい。
【００１３】
本発明の表裏反転装置においては、前記第２搬送部の入口部分は、前記表裏反転装置の幅方向における中央位置からずれた位置に設けられていてもよい。
【００１４】
本発明の表裏反転装置においては、前記第２搬送部により第２の角度だけ変位させられる紙葉類の幅方向における一部分が、当該紙葉類の幅方向における中央位置からずれた位置となるよう、前記第２搬送部が配置されていてもよい。
【００１５】
本発明の紙葉類処理機は、紙葉類の表裏を判別する判別部と、前記判別部による判別結果に基づいて紙葉類の表裏を反転させるか否かを判断する制御部と、前記制御部により表裏を反転させる必要があると判断された紙葉類を搬送する第１搬送機構と、前記制御部により表裏を反転させる必要がないと判断された紙葉類を搬送する第２搬送機構と、前記制御部による判断に基づいて紙葉類を前記第１搬送機構および前記第２搬送機構のうちいずれか一方に送る選別部と、を備え、上述した表裏反転装置が前記第１搬送機構に設けられていることを特徴とする。
【発明の効果】
【００１６】
本発明の表裏反転装置および紙葉類処理機によれば、紙葉類の表裏を反転させるにあたり、紙葉類全体を１８０°回転させる場合と比較して紙葉類が変位する領域の高さを抑えることができ、また、紙葉類の表裏を反転させる途中で詰まり等のトラブルが生じた場合にもこのような紙葉類の詰まりを容易に解除することができる。
【図面の簡単な説明】
【００１７】
【図１】本発明の実施の形態による紙幣処理機の外観を示す斜視図である。
【図２】図１に示す紙幣処理機の内部構成を概略的に示す概略構成図である。
【図３】図１等に示す紙幣処理機の機体内に設けられた表裏反転装置の構成を示す斜視図である。
【図４】図３に示す表裏反転装置を手前側から見たときの構成を示す正面図である。
【図５】図３に示す表裏反転装置の上面図である。
【図６】図３に示す表裏反転装置の側面図である。
【図７】図３等に示す表裏反転装置における第１搬送部およびガイド部の構成を示す斜視図である。
【図８】図７に示す第１搬送部およびガイド部を手前側から見たときの構成を示す正面図である。
【図９】図７に示す第１搬送部およびガイド部の上面図である。
【図１０】図３等に示す表裏反転装置における第２搬送部の構成を示す斜視図である。
【図１１】図１０に示す第２搬送部を手前側から見たときの構成を示す正面図である。
【図１２】図３等に示す表裏反転装置における、第１搬送部の各組の一対の第１ローラの間に形成されるニップ部の位置と、第２搬送部の入口部分の位置との関係を概略的に示す正面図である。
【図１３】図１０に示す第２搬送部の上面図である。
【図１４】図１０等に示す第２搬送部における一対の循環ベルトの構成を示す斜視図である。
【図１５】図１４に示す一対の循環ベルトの上面図である。
【図１６】（ａ）は、第１搬送部により搬送される紙幣の幅方向におけるガイド部により所定回りに略９０°変位させられる一部分を示す説明図であり、（ｂ）は、紙幣の幅方向における第２搬送部により所定回りに略９０°変位させられる一部分を示す説明図である。
【図１７】変形例に係る表裏反転装置の第２搬送部における複数の搬送ローラの構成を示す斜視図である。
【図１８】図１７に示す複数の搬送ローラの上面図である。
【発明を実施するための形態】
【００１８】
以下、図面を参照して本発明の実施の形態について説明する。図１乃至図１６は、本実施の形態による紙幣処理機を示す図である。このうち、図１は、本発明の実施の形態による紙幣処理機の外観を示す斜視図であり、図２は、図１に示す紙幣処理機の内部構成を概略的に示す概略構成図である。また、図３乃至図６は、それぞれ、図１等に示す紙幣処理機の機体内に設けられた表裏反転装置の構成を示す斜視図、正面図、上面図および側面図である。また、図７乃至図９は、それぞれ、図３等に示す表裏反転装置における第１搬送部およびガイド部の構成を示す斜視図、正面図および上面図である。また、図１０乃至図１３は、それぞれ、図３等に示す表裏反転装置における第２搬送部の構成を示す斜視図、正面図および上面図である。また、図１４および図１５は、それぞれ、図１０等に示す第２搬送部における一対の循環ベルトの構成を示す斜視図および上面図である。また、図１６（ａ）は、第１搬送部により搬送される紙幣の幅方向におけるガイド部により所定回りに略９０°変位させられる一部分を示す説明図であり、図１６（ｂ）は、紙幣の幅方向における第２搬送部により所定回りに略９０°変位させられる一部分を示す説明図である。なお、図３乃至図１６において、表裏反転装置における紙幣の搬送方向を白抜きの矢印で示している。
【００１９】
図１および図２に示すように、本実施の形態による紙幣処理機１０は、略直方体形状の筐体１１と、紙幣を筐体１１の内部に取り込むための取込部１２と、取込部１２により筐体１１の内部に取り込まれた紙幣を当該筐体１１の内部で搬送するための搬送機構１６と、搬送機構１６により搬送される紙幣の金種、真偽、正損、表裏、搬送状態等の識別を行う識別部１８と、識別部１８により識別された紙幣が積層状態で例えば金種毎に集積される複数（図１等に示す例では４つ）の集積部２０ａ〜２０ｄとを備えている。このような紙幣処理機１０の各構成部材の詳細について以下に説明する。
【００２０】
本実施の形態による紙幣処理機１０では、紙幣の処理が行われる際に、操作者により複数の紙幣が取込部１２に積層状態で載置されるようになっている。また、図１および図２に示すように、取込部１２にはフィードローラ、キッカローラおよびゲートローラ等からなる繰出機構１４が設けられており、取込部１２に積層状態で載置された紙幣は１枚ずつ繰出機構１４により筐体１１の内部に繰り出されるようになっている。より詳細には、取込部１２に積層状態で載置された複数の紙幣のうち最下層に位置する紙幣がキッカローラにより筐体１１の内部に向かって（すなわち、図２における左下方向に）１枚ずつ蹴り出され、キッカローラにより蹴り出された紙幣がフィードローラにより筐体１１の内部に繰り出されるようになっている。また、フィードローラにより紙幣が筐体１１の内部に繰り出される際に、当該紙幣はフィードローラとゲートローラとの間に形成されるゲート部を通過することにより１枚ずつに分離されるようになっている。
【００２１】
取込部１２により筐体１１の内部に取り込まれた紙幣は搬送機構１６により搬送されるようになっている。ここで、紙幣はその短手方向に沿って搬送機構１６により搬送されるようになっている。また、図２に示すように、搬送機構１６は、上流側搬送機構１６ａと、上流側搬送機構１６ａの下流側に並列に設けられた第１搬送機構１６ｂおよび第２搬送機構１６ｃと、第１搬送機構１６ｂおよび第２搬送機構１６ｃが合流する下流側搬送機構１６ｄとから構成されており、上流側搬送機構１６ａにより搬送される紙幣は第１搬送機構１６ｂおよび第２搬送機構１６ｃのうちいずれか一方に送られるようになっている。また、図２に示すように、上流側搬送機構１６ａには識別部１８が設けられており、上流側搬送機構１６ａにより搬送される紙幣は識別部１８によりその金種、真偽、正損、新旧、表裏、搬送状態等の識別が行われるようになっている。また、上流側搬送機構１６ａには２つのリジェクト部２２ａ、２２ｂが接続されており、識別部１８により正常な紙幣ではないと識別された紙幣や識別部１８により識別することができなかった紙幣はリジェクト紙幣として上流側搬送機構１６ａから各リジェクト部２２ａ、２２ｂに送られ、これらのリジェクト部２２ａ、２２ｂに積層状態で集積されるようになっている。図１に示すように、各リジェクト部２２ａ、２２ｂは筐体１１の外部に露出しており、操作者は各リジェクト部２２ａ、２２ｂに集積されたリジェクト紙幣をこれらのリジェクト部２２ａ、２２ｂから取り出して取込部１２に再投入することができるようになっている。
【００２２】
図２に示すように、第１搬送機構１６ｂには表裏反転装置４０が設けられており、上流側搬送機構１６ａから第１搬送機構１６ｂに送られた紙幣は表裏反転装置４０よりその表裏が選択的に反転させられるようになっている。このような表裏反転装置４０の構成の詳細については後述する。
【００２３】
筐体１１の内部における下部領域には４つの集積部２０ａ、２０ｂ、２０ｃ、２０ｄが並列に設けられており、第１搬送機構１６ｂや第２搬送機構１６ｃから下流側搬送機構１６ｄに送られた紙幣が各集積部２０ａ、２０ｂ、２０ｃ、２０ｄに例えば金種毎に分類されてこれらの集積部２０ａ、２０ｂ、２０ｃ、２０ｄで積層状態に集積されるようになっている。また、図１に示すように各集積部２０ａ、２０ｂ、２０ｃ、２０ｄの前面は開口しており、操作者は各集積部２０ａ、２０ｂ、２０ｃ、２０ｄの内部にアクセスしてこれらの集積部２０ａ、２０ｂ、２０ｃ、２０ｄに積層状態で集積されている紙幣を筐体１１の外部に取り出すことができるようになっている。
【００２４】
また、図２に示すように、上流側搬送機構１６ａには、当該上流側搬送機構１６ａから紙幣を分岐させるための分岐爪等からなる分岐部材３２ａ、３２ｂが設けられている。各分岐部材３２ａ、３２ｂは、それぞれ、識別部１８から排出された紙幣が上流側搬送機構１６ａにより搬送される際に当該紙幣を上流側搬送機構１６ａから分岐させて各リジェクト部２２ａ、２２ｂに送るようになっている。また、下流側搬送機構１６ｄには、当該下流側搬送機構１６ｄから紙幣を分岐させるための分岐爪等からなる分岐部材３０ａ、３０ｂ、３０ｃが設けられている。各分岐部材３０ａ、３０ｂ、３０ｃは、それぞれ、下流側搬送機構１６ｄにより紙幣により搬送される際に当該紙幣を下流側搬送機構１６ｄから分岐させて各集積部２０ａ、２０ｂ、２０ｃに送るようになっている。また、上流側搬送機構１６ａから第１搬送機構１６ｂや第２搬送機構１６ｃへの分岐箇所にも分岐部材３３が設けられており、この分岐部材３３により上流側搬送機構１６ａにより搬送される紙幣が第１搬送機構１６ｂまたは第２搬送機構１６ｃのうちいずれか一方に送られるようになっている。より詳細には、識別部１８により識別された紙幣の表裏の向きが所定の向きである場合には、当該紙幣は分岐部材３３により第２搬送機構１６ｃに送られるようになっている。この場合は、当該紙幣は表裏反転装置４０によりその表裏が反転させられることはない。一方、識別部１８により識別された紙幣の表裏の向きが所定の向きではない場合には、当該紙幣は分岐部材３３により第１搬送機構１６ｂに送られるようになっている。この場合は、当該紙幣は表裏反転装置４０によりその表裏が反転させられる。このようにして、各集積部２０ａ、２０ｂ、２０ｃ、２０ｄに集積される紙幣の表裏の向きを揃えることができるようになる。
【００２５】
また、図２に示すように、筐体１１の内部には、紙幣処理機１０の各構成部材の制御を行う制御部３４が設けられている。ここで、識別部１８による紙幣の識別結果に係る情報は制御部３４に送られるようになっている。また、制御部３４は、紙幣処理機１０の各構成部材（具体的には、繰出機構１４、搬送機構１６、表裏反転装置４０、各分岐部材３０ａ、３０ｂ、３０ｃ、３２ａ、３２ｂ、等）に指令信号を送ることによりこれらの各構成部材の制御を行うようになっている。本実施の形態では、制御部３４は、識別部１８による紙幣の識別結果に基づいて紙幣の表裏を反転させるか否かを判断するようになっており、このような判断結果に基づいて分岐部材３３により上流側搬送機構１６ａにより搬送される紙幣を第１搬送機構１６ｂまたは第２搬送機構１６ｃのうちどちらに送るかを決めるようになっている。すなわち、分岐部材３３は、制御部３４による判断に基づいて紙幣を第１搬送機構１６ｂおよび第２搬送機構１６ｃのうちいずれか一方に送る選別部として機能するようになっている。
【００２６】
次に、表裏反転装置４０の構成の詳細について図３乃至図１６を用いて説明する。図３等に示すように、表裏反転装置４０は、紙幣を所定の搬送方向に沿って搬送する第１搬送部５０と、第１搬送部５０により搬送される紙幣の幅方向における一部分を搬送方向を中心として所定回りに略９０°変位させるガイド部６０と、紙幣の搬送方向における第１搬送部５０の下流側に設けられ、第１搬送部５０から受け渡された紙幣を搬送方向に沿って搬送する第２搬送部７０とを備えている。また、第２搬送部７０は、第１搬送部５０から受け渡された紙幣のうちガイド部６０により略９０°変位させられた部分を搬送方向を中心として所定回りに更に略９０°変位させながら当該紙幣を搬送方向に沿って搬送するようになっている。なお、「紙幣の一部を搬送方向を中心として略９０°変位させる」とは、紙幣の一部の向き（位相）を、紙幣の搬送方向に沿って上流側から下流側に向かって見たときに当該紙幣の搬送方向を中心として反時計回りに略９０°変えるよう、紙幣の一部を搬送方向を中心として略９０°回転させることをいう。このように、本実施の形態による表裏反転装置４０では、ガイド部６０により紙幣の幅方向における一部分を搬送方向を中心として所定回りに略９０°変位させ、その後に第２搬送部７０により紙幣におけるガイド部６０により略９０°変位させられた部分を搬送方向を中心として更に所定回りに略９０°変位させることにより、紙幣を略１８０°変位させる、すなわち紙幣の表裏を反転させるようになっている。なお、本実施の形態では、表裏反転装置４０において紙幣はその短手方向に沿って搬送されるようになっている。しかしながら、本実施の形態はこのような態様に限定されることはなく、表裏反転装置４０において紙幣がその長手方向に沿って搬送されるようになっていてもよい。
【００２７】
図３乃至図６等に示すように、表裏反転装置４０の入口部分には、ガイド部材４４と、このガイド部材４４に設けられた２組の一対の搬送ローラ４６、４８とがそれぞれ設けられている。ここで、各搬送ローラ４６の外周面にはゴム等の弾性体が設けられており、これらの搬送ローラ４６は対応する搬送ローラ４８に押圧されるようになっている。このため、各搬送ローラ４６と各搬送ローラ４８との間にはニップ部が形成されるようになる。また、各搬送ローラ４６は駆動軸４６ａに取り付けられており、当該駆動軸４６ａが図示しない駆動モータによって回転させられることにより各搬送ローラ４６が回転するようになっている。そして、第１搬送機構１６ｂから表裏反転装置４０に送られた紙幣は各組の一対の搬送ローラ４６、４８の間に形成されるニップ部に送られ、当該紙幣は各搬送ローラ４６、４８により所定の搬送方向に沿ってガイド部材４４上で搬送されるようになる。
【００２８】
次に、表裏反転装置４０における第１搬送部５０およびガイド部６０の構成について図７乃至図９を用いて説明する。第１搬送部５０は、ガイド部材５２と、このガイド部材５２に設けられた４つの搬送ローラ５４と、各搬送ローラ５４に対応するよう設けられた４つの搬送ローラ５６とを有している。ここで、ガイド部材５２は、ガイド部材４４の上方にわずかな隙間を隔てて配置されている。また、ガイド部材５２は、図３に示す表裏反転装置４０を手前側から見て当該表裏反転装置４０の幅方向における中央位置（図４、図５、図８、図９等において参照符合Ｍで示す二点鎖線）に対して片側（具体的には、中央位置よりも左側）に設けられている。そして、各組の一対の搬送ローラ４６、４８の間に形成されるニップ部を通過した後にガイド部材４４上で搬送される紙幣の幅方向における左側半分の領域は、ガイド部材４４とガイド部材５２との間に形成される隙間を通過するようになる。また、各搬送ローラ５６の外周面にはゴム等の弾性体が設けられており、これらの搬送ローラ５６は対応する搬送ローラ５４に押圧されるようになっている。このため、各搬送ローラ５４と各搬送ローラ５６との間にはニップ部が形成されるようになる。また、各搬送ローラ５６は駆動軸５６ａに取り付けられており、当該駆動軸５６ａが図示しない駆動モータによって回転させられることにより各搬送ローラ５６が回転するようになっている。そして、ガイド部材４４とガイド部材５２との間に形成される隙間に送られた、紙幣の幅方向における左側半分の領域が各搬送ローラ５４と各搬送ローラ５６との間にはニップ部に送られる。このことにより、紙幣の幅方向における左側半分の領域が各搬送ローラ５４、５６により所定の搬送方向に沿って搬送されるようになる。なお、本実施の形態では、第１搬送部５０において、各搬送ローラ５４、５６（第１ローラ）により紙幣を搬送する態様に限定されることはない。他の例として、互いに表面が接触する一対のベルト（第１ベルト）を有する第１搬送部が用いられてもよい。この場合には、第１搬送部において紙幣は一対のベルトの間で搬送されるようになる。
【００２９】
また、表裏反転装置４０の幅方向において第１搬送部５０の隣にガイド部６０が設けられている。ガイド部６０は、第１搬送部５０によりその幅方向における左側半分の領域が搬送される紙幣の右側半分の領域を案内するようになっている。より詳細には、図７等に示すように、ガイド部６０は、第１ガイド部分６２と、第２ガイド部分６４と、第３ガイド部分６６とを有しており、各ガイド部分６２、６４、６６は、第１搬送部５０による紙幣の搬送面（すなわち、ガイド部材４４の表面）に対して搬送方向において傾斜している。ここで、第１ガイド部分６２および第２ガイド部分６４は表裏反転装置４０の幅方向において左右に並ぶよう配置されており、第３ガイド部分６６は紙幣の搬送方向における第１ガイド部分６２および第２ガイド部分６４の下流側に設けられている。なお、第２ガイド部分６４は第１ガイド部分６２よりも表裏反転装置４０の幅方向における中央側に設けられており、ガイド部材４４の表面に対する第２ガイド部分６４の傾斜角度はガイド部材４４の表面に対する第１ガイド部分６２の傾斜角度よりも大きくなっている。また、第１ガイド部分６２および第２ガイド部分６４の表面と、第３ガイド部分６６の表面との間には段差が形成されていない。このようなガイド部６０の構成により、第１搬送部５０によりその幅方向における左側半分の領域が搬送される紙幣の右側半分の領域はガイド部材４４の表面から徐々に離れるよう案内され（図７等における紙幣Ｐ２参照）、図８に示すように当該紙幣の幅方向における一部分が搬送方向を中心として所定回り（具体的には、図８における反時計回り）に略９０°変位させられるようになる。
【００３０】
また、図７乃至図９等に示すように、第１搬送部５０のガイド部材５２と、ガイド部６０との間には隙間６８が形成されている。この隙間６８は、第１搬送部５０による紙幣の搬送面に直交する方向（すなわち、図８における上下方向）に延びるとともに、紙幣の搬送方向に沿って延びるようになっている。そして、第１搬送部５０により搬送される紙幣におけるガイド部６０により所定回りに略９０°変位させられた一部分はこの隙間６８に入るようになっている。ここで、本実施の形態では、図８に示すように、表裏反転装置４０の幅方向における隙間６８の位置は当該表裏反転装置４０の幅方向における中央位置（図８において参照符合Ｍで示す二点鎖線の位置）よりも左側に位置している。このため、第１搬送部５０により搬送される紙幣におけるガイド部６０により所定回りに略９０°変位させられる一部分の位置は、当該紙幣の幅方向における中央位置よりも左側に寄った位置となる。図１６（ａ）において、第１搬送部５０により搬送される紙幣におけるガイド部６０により所定回りに略９０°折られる位置を参照符合Ｑ１で示す。
【００３１】
次に、表裏反転装置４０における第２搬送部７０の構成について図１０乃至図１５を用いて説明する。図１０や図１４等に示すように、第２搬送部７０は、紙幣を搬送する一対の帯状の循環ベルト７２、７６（第２ベルト）と、各循環ベルト７２、７６により搬送される紙幣を表裏反転装置４０の幅方向外側へ案内する上側紙幣ガイド部材８０および下側紙幣ガイド部材８８と、を有している。
【００３２】
図１４および図１５に示すように、帯状の平ベルトから構成される循環ベルト７２は複数のプーリ７３に張架されており、その一部分７２ａは紙幣の搬送方向に沿って概ね直線状に延びるようになっている。また、帯状の平ベルトから構成される循環ベルト７６は複数のプーリ７７に張架されており、その一部分７６ａは紙幣の搬送方向に沿って概ね直線状に延びるようになっている。また、循環ベルト７２の一部分７２ａおよび循環ベルト７６の一部分７６ａは互いに接触しており、紙幣の幅方向における一部分はこれらの循環ベルト７２の一部分７６ａと循環ベルト７６の一部分７６ａとの間で搬送されるようになっている。また、第２搬送部７０の上流側端部の近傍には、表裏反転装置４０の幅方向に沿って左右に並ぶよう設けられた入口側ローラ７４、７８が互いに接するように設けられている。より詳細には、入口側ローラ７４は循環ベルト７２よりも紙幣の搬送方向における手前側に配置されている。また、循環ベルト７６が張架される複数のプーリ７７のうちある一つのプーリ７７が入口側ローラ７８として用いられるようになっている。そして、これらの入口側ローラ７４、７８の間のニップ部に送られた、紙幣の幅方向における一部分が循環ベルト７２の一部分７２ａと循環ベルト７６の一部分７６ａとの間に受け渡され、これらの循環ベルト７２の一部分７２ａと循環ベルト７６の一部分７６ａとの間で搬送されるようになっている。また、図１４および図１５に示すように、循環ベルト７２の一部分７２ａおよび循環ベルト７６の一部分７６ａは、その入口側の幅方向が垂直方向に延びているのに対し出口側の幅方向が水平方向に延びるよう、入口側の幅方向に対して出口側の幅方向が略９０°ねじれている。このため、循環ベルト７２の一部分７２ａと循環ベルト７６の一部分７６ａとの間でその幅方向における一部分が搬送される紙幣は、紙幣の搬送方向に沿って上流側から下流側に向かって見たときに当該搬送方向を中心として反時計回りに略９０°変位させられる。
【００３３】
ここで、本実施の形態では、図５に示すように、表裏反転装置４０の幅方向における入口側ローラ７４、７８の間のニップ部（すなわち、第２搬送部７０の入口部分）の位置は、第１搬送部５０のガイド部材５２とガイド部６０との間に形成される隙間６８の位置と略同一となっている。このことにより、幅方向における一部分が隙間６８を通る紙幣は、第２搬送部７０の入口部分に設けられた入口側ローラ７４、７８の間にスムーズに送られるようになる。また、上述したように、表裏反転装置４０の幅方向における隙間６８の位置は、当該表裏反転装置４０の幅方向における中央位置（図５等において参照符合Ｍで示す二点鎖線の位置）よりも左側に位置しているため、第２搬送部７０の入口部分に設けられた入口側ローラ７４、７８の間のニップ部も、表裏反転装置４０の幅方向における中央位置よりも左側に位置するようになる。図５や図１１乃至図１３において、表裏反転装置４０の幅方向における入口側ローラ７４、７８の間のニップ部の位置を参照符合Ｌ１の二点鎖線で示す。また、第１搬送部５０による紙幣の搬送面に直交する方向（すなわち、図４や図１１、図１２の上下方向）における、第２搬送部７０の入口部分に設けられた入口側ローラ７４、７８の間のニップ部の位置（図１２において参照符合Ｌ２で表示）と、第１搬送部５０における各組の一対の搬送ローラ５４、５６の間に形成されるニップ部の位置（図１２において参照符合Ｎで表示）とは互いに異なるようになっている。すなわち、図４や図１１、図１２の上下方向において、第２搬送部７０の入口部分に設けられた入口側ローラ７４、７８の間のニップ部は、第１搬送部５０における各組の一対の搬送ローラ５４、５６の間に形成されるニップ部よりも上方に位置するようになっている。また、第２搬送部７０の入口部分に設けられた入口側ローラ７４、７８の間のニップ部に送られる、紙幣の幅方向における一部分の位置は、当該紙幣の幅方向における中央位置からずれた位置となる。より詳細には、上述したように、第１搬送部５０により搬送される紙幣におけるガイド部６０により所定回りに略９０°折られる位置は、当該紙幣の幅方向における中央位置よりも左側に寄った位置となる。これに対し、図４や図１１、図１２の上下方向において、第２搬送部７０の入口部分に設けられた入口側ローラ７４、７８の間のニップ部は、第１搬送部５０における各組の一対の搬送ローラ５４、５６の間に形成されるニップ部よりも上方に位置するため、第２搬送部７０の入口部分に設けられた入口側ローラ７４、７８の間のニップ部に送られる、紙幣の幅方向における一部分の位置は、当該紙幣の幅方向における中央位置よりも右側に寄った位置となる。すなわち、第２搬送部７０により所定回りに更に略９０°変位させられる紙幣の一部分の位置は、当該紙幣の幅方向における中央位置よりも右側に寄った位置となる。図１６（ｂ）において、第２搬送部７０により所定回りに更に略９０°変位させられる紙幣の一部分の位置を参照符合Ｑ２で示す。ここで、図１６（ｂ）における中央位置Ｍと位置Ｑ１との間の距離、および中央位置Ｍと位置Ｑ２との間の距離は、第２搬送部７０から排出された紙幣が表裏反転装置４０の幅方向における中央位置に位置するような大きさに設定されている。具体的には、中央位置Ｍと位置Ｑ１との間の距離と、中央位置Ｍと位置Ｑ２との間の距離との大きさを略同一とすることにより、ガイド部６０により位置Ｑ１で略９０°折られた紙幣を第２搬送部７０の各循環ベルト７２、７６により位置Ｑ２で挟持して更に略９０°変位させることができるようになるため、第２搬送部７０から排出された紙幣の幅方向における中央位置は図１６（ｂ）における中央位置Ｍ（すなわち、表裏が反転させられる前の紙幣の幅方向における中央位置）と略一致するようになる。
【００３４】
また、図１０等に示すように、各循環ベルト７２、７６の上方には上側紙幣ガイド部材８０が設けられている。より詳細には、上側紙幣ガイド部材８０は、紙幣の搬送方向に沿って見たときの右側半分の箇所に位置している上方右側部分８２と、紙幣の搬送方向に沿って見たときの左側半分の箇所に位置する上方左側部分８４とを有しており、上方左側部分８４には、紙幣の搬送方向に対して略４５°の角度をなすよう設けられた上方傾斜部分８６が設けられている。そして、各循環ベルト７２、７６により搬送される紙幣は上側紙幣ガイド部材８０に沿って搬送されるようになる。この際に、上方傾斜部分８６により、各循環ベルト７２、７６により搬送される紙幣の幅方向における左側部分が搬送路の幅方向外側に案内されるようになる。また、各循環ベルト７２、７６の下方には下側紙幣ガイド部材８８が設けられている。より詳細には、下側紙幣ガイド部材８８は、紙幣の搬送方向に沿って見たときの右側半分の箇所に位置している下方右側部分８８ａと、紙幣の搬送方向に沿って見たときの左側半分の箇所に位置する下方左側部分８８ｂとを有しており、下方右側部分８８ａには、紙幣の搬送方向に対して略４５°の角度をなすよう設けられた下方傾斜部分８８ｃが設けられている。そして、各循環ベルト７２、７６により搬送される紙幣は下側紙幣ガイド部材８８に沿って搬送されるようになる。この際に、下方傾斜部分８８ｃにより、各循環ベルト７２、７６により搬送される紙幣の幅方向における右側部分が搬送路の幅方向外側に案内されるようになる。
【００３５】
また、図３、図４、図６等に示すように、第１搬送部５０、ガイド部６０および第２搬送部７０の上方および下方にはそれぞれ上側板状部材４２および下側板状部材４３が位置固定で設けられており、これらの上側板状部材４２および下側板状部材４３の間の領域で第１搬送部５０や第２搬送部７０により紙幣が搬送されるようになっている。上述したように、紙幣の幅方向における一部分が循環ベルト７２の一部分７２ａと循環ベルト７６の一部分７６ａとの間で搬送される際に、紙幣の搬送方向に沿って見たときに当該搬送方向を中心として紙幣が反時計回りに略９０°変位させられるが、このときに、上側板状部材４２によって紙幣の上端部分が高さ方向において規制（制限）させられるようになる。また、紙幣が第１搬送部５０から第２搬送部に受け渡されるとこの紙幣は全体的に図４における上下方向に延びるようになるが、このときに、下側板状部材４３によって紙幣の下端部分が高さ方向において規制（制限）させられるようになる。このように、上側板状部材４２および下側板状部材４３を位置固定で設けることにより、表裏反転装置４０の高さを小さくすることができ、よって紙幣処理機１０の筐体１１の内部における表裏反転装置４０の設置に必要なスペースを十分に確保することができるようになる。
【００３６】
次に、このような表裏反転装置４０の動作（具体的には、表裏反転装置４０により紙幣の表裏を反転させる動作）について説明する。表裏反転装置４０により紙幣の表裏が反転させられる際に、当該紙幣は図３等において参照符合Ｐ１〜Ｐ５で順に示されるような状態で第１搬送部５０および第２搬送部７０により搬送されるようになる。より詳細には、第１搬送機構１６ｂから表裏反転装置４０に送られた紙幣は、まずは各組の一対の搬送ローラ４６、４８の間に形成されるニップ部に送られる（図３等において参照符合Ｐ１で表示）。また、図示しない駆動モータによって駆動軸４６ａが回転させられることにより各搬送ローラ４６が図６における反時計回りの方向に回転させられる。このことにより、各組の一対の搬送ローラ４６、４８の間に形成されるニップ部に送られた紙幣は各搬送ローラ４６、４８により所定の搬送方向に沿ってガイド部材４４上で搬送されるようになる。
【００３７】
そして、ガイド部材４４上で搬送される紙幣における左側半分の領域はガイド部材５２とガイド部材４４との間の隙間に送られ、この隙間に送られた紙幣の左側半分の領域は各組の一対の搬送ローラ５４、５６の間に形成されるニップ部に送られる。また、図示しない駆動モータによって駆動軸５６ａが回転させられることにより各搬送ローラ５６が図６における反時計回りの方向に回転させられる。このことにより、各組の一対の搬送ローラ５４、５６の間に形成されるニップ部に送られた紙幣の左側半分の領域は各搬送ローラ５４、５６により所定の搬送方向に沿ってガイド部材５２とガイド部材４４との間の隙間で搬送されるようになる。一方、ガイド部材４４上で搬送される紙幣における右側半分の領域はガイド部６０に送られ、このガイド部６０により案内されるようになる。より詳細には、ガイド部材４４上で搬送される紙幣における右側半分の領域はまず第１ガイド部分６２や第２ガイド部分６４によりガイド部材４４から上方に持ち上げられ、その後に第３ガイド部分６６により更に上方に持ち上げられるようになる。このことによって、図７乃至図９において参照符合Ｐ２で示すように、紙幣の幅方向における一部分が搬送方向を中心として所定回り（具体的には、図８における反時計回り）に略９０°変位させられるようになる。また、第１搬送部５０により搬送される紙幣におけるガイド部６０により所定回りに略９０°変位させられた一部分は、第１搬送部５０のガイド部材５２とガイド部６０との間に形成される隙間６８に入るようになる。なお、上述したように、表裏反転装置４０の幅方向における隙間６８の位置は当該表裏反転装置４０の幅方向における中央位置よりも左側に位置しているため、第１搬送部５０により搬送される紙幣におけるガイド部６０により所定回りに略９０°折られる位置は、当該紙幣の幅方向における中央位置よりも左側に寄った位置となる。
【００３８】
その後、第１搬送部５０のガイド部材５２とガイド部６０との間に形成される隙間６８を通った紙幣は第２搬送部７０における一対の入口側ローラ７４、７８の間に形成されるニップ部に送られるようになる。このような一対の入口側ローラ７４、７８の間に形成されるニップ部に送られた紙幣を図１０、図１１、図１３および図１４において参照符合Ｐ３で示す。より詳細には、紙幣の幅方向における一部分がニップ部に送られるようになり、この一部分がニップ部から循環ベルト７２の一部分７２ａと循環ベルト７６の一部分７６ａとの間に受け渡され、これらの循環ベルト７２の一部分７２ａと循環ベルト７６の一部分７６ａとの間で紙幣の幅方向における一部が搬送されるようになる。ここで、上述したように、循環ベルト７２の一部分７２ａと循環ベルト７６の一部分７６ａとの間でその幅方向における一部分が搬送される紙幣は、当該紙幣の搬送方向に沿って上流側から下流側に向かって見たときに当該搬送方向を中心として反時計回りに略９０°変位させられる。なお、上述したように、第２搬送部７０により所定回りに更に略９０°変位させられる紙幣の一部分の位置は、当該紙幣の幅方向における中央位置よりも右側に寄った位置となる。また、各循環ベルト７２、７６により搬送される紙幣は上側紙幣ガイド部材８０に沿って搬送されるようになる。この際に、上方傾斜部分８６により、各循環ベルト７２、７６により搬送される紙幣の幅方向における左側部分が搬送路の幅方向外側（具体的には、紙幣の搬送方向に沿って上流側から下流側に向かって見たときの左方向）に案内されるようになる。また、各循環ベルト７２、７６により搬送される紙幣は下側紙幣ガイド部材８８に沿って搬送されるようになる。この際に、下方傾斜部分８８ｃにより、各循環ベルト７２、７６により搬送される紙幣の幅方向における右側部分が搬送路の幅方向外側（具体的には、紙幣の搬送方向に沿って上流側から下流側に向かって見たときの右方向）に案内されるようになる。このような紙幣を図１０や図１３等において参照符号Ｐ４で示す。また、各循環ベルト７２、７６により紙幣が搬送される際に、上側板状部材４２や下側板状部材４３によって紙幣の幅方向における上端部分や下端部分が高さ方向において規制（制限）させられるようになる。そして、各循環ベルト７２、７６により略９０°変位させられた紙幣は第２搬送部７０から排出される。第２搬送部７０から排出される紙幣を図１０や図１３等において参照符合Ｐ５で示す。
【００３９】
このようにして、第１搬送部５０により搬送させられる紙幣はガイド部６０によりその幅方向における一部分が所定回り（具体的には、上流側から下流側に向かって見たときの反時計回り）に略９０°変位させられる。また、第１搬送部５０から第２搬送部７０に受け渡された紙幣の幅方向における一部分が同じ向き（具体的には、上流側から下流側に向かって見たときの反時計回り）に更に略９０°変位させられる。このことにより、第２搬送部７０から排出される紙幣は、その表裏が反転させられたものとなる。
【００４０】
以上のように、本実施の形態の表裏反転装置４０によれば、ガイド部６０は、第１搬送部５０により搬送される紙幣の幅方向における一部分を搬送方向を中心として所定回りに略９０°変位させるようになっており、第２搬送部７０は、第１搬送部５０から受け渡された紙幣のうちガイド部６０により略９０°変位させられた部分（すなわち、図１６（ａ）における位置Ｑ１よりも右側の部分）を搬送方向を中心として同じ方向に更に略９０°変位させながら当該紙幣を搬送方向に沿って搬送するようになっている。このように、紙幣の表裏を反転させるにあたり、ガイド部６０により紙幣の幅方向における一部分を搬送方向を中心として略９０°変位させ、その後にこの変位させられた部分を第２搬送部７０により搬送方向を中心として更に略９０°変位させることにより、紙幣全体を一度に１８０°回転させる場合と比較して紙幣が変位する領域の高さを抑えることができ、また、紙幣の表裏を反転させる途中で詰まり等のトラブルが生じた場合にもこのような紙幣の詰まりを容易に解除することができる。
【００４１】
より詳細に説明すると、従来の表裏反転装置では、第１搬送機構１６ｂから送られた紙幣を所定の搬送方向に沿って搬送しながら当該搬送方向を中心として紙幣全体を一度に１８０°回転させることにより紙幣の表裏を反転させていた。しかしながら、このような従来の表裏反転装置では紙幣全体が搬送方向を中心として一度に１８０°回転するため、紙幣の幅方向の長さ分だけ表裏反転装置の内部スペースの高さを確保しなければならず、紙幣処理機１０の内部における表裏反転装置の設置スペースに制約が生じてしまうという問題があった。また、紙幣全体を一度に１８０°回転させる場合には紙幣を回転させる機構の構造が複雑となるため、紙幣を回転させる途中で詰まり等のトラブルが生じた場合には、このような紙幣の詰まりを解除するのに手間がかかりメンテナンス性が悪いという問題があった。これに対し、本実施の形態による表裏反転装置４０では、紙幣の表裏を反転させるにあたり、紙幣の搬送方向を中心として当該紙幣を略９０°ずつ２段階で変位させているため、紙幣全体を一度に１８０°回転させるような従来の表裏反転装置の上記の問題を解消することができるようになる。
【００４２】
なお、上記の説明では、ガイド部６０により紙幣の幅方向における一部分を搬送方向を中心として略９０°変位させ、その後にこの変位させられた部分を第２搬送部７０により搬送方向を中心として更に略９０°変位させる態様について述べたが、本実施の形態ではこのような態様に限定されることはない。他の態様として、ガイド部６０により紙幣の幅方向における一部分を搬送方向を中心として９０°以外の第１の角度だけ変位させ、その後にこの変位させられた部分を第２搬送部７０により搬送方向を中心として更に９０°以外の第２の角度だけ変位させるようになっていてもよい。この際に、第１の角度および第２の角度の合計が略１８０°となっている。このことにより、紙幣の搬送方向を中心として当該紙幣を第１の角度および第２の角度で２段階で変位させることにより、当該紙幣の表裏を反転させることができる。また、この場合でも、紙幣全体を一度に１８０°回転させる場合と比較して紙幣が変位する領域の高さを抑えることができ、また、紙幣の表裏を反転させる途中で詰まり等のトラブルが生じた場合にもこのような紙幣の詰まりを容易に解除することができる。
【００４３】
また、本実施の形態の表裏反転装置４０においては、上述したように、第１搬送部５０による紙幣の搬送面に直交する方向において、第１搬送部５０（具体的には、各組の一対の搬送ローラ５４、５６の間に形成されるニップ部）の位置と、第２搬送部７０の入口部分（具体的には、一対の入口側ローラ７４、７８の間に形成されるニップ部）の位置とが互いに異なるようになっている（図１２参照）。ここで、第１搬送部５０による紙幣の搬送面に直交する方向における第１搬送部５０の位置と第２搬送部７０の入口部分の位置とが略同一である場合には、ガイド部６０により略９０°折られた紙幣の部分（すなわち、紙幣の折り目）が第２搬送部７０の入口部分に一致し、紙幣における略９０°折られた部分が一対の入口側ローラ７４、７８の間に形成されるニップ部に衝突し、第１搬送部５０から第２搬送部７０に紙幣をスムーズに受け渡すことができない場合がある。このため、第１搬送部５０よりも上方の位置で紙幣を受け取り、紙幣における略９０°折られた部分を第１搬送部５０と略同一の高さ位置で第２搬送部７０へ受け渡すための中間搬送部を、第１搬送部５０と第２搬送部７０との間に設けなければならず、この場合には、中間搬送部の長さ分だけ紙幣の搬送方向における表裏反転装置４０の長さを大きくしなければならない。これに対し、本実施の形態では、第２搬送部７０を第１搬送部５０よりも図４等における上方に位置させることにより、ガイド部６０により略９０°折られた紙幣の部分（すなわち、紙幣の折り目）と第２搬送部７０の入口部分とが一致しなくなる。この場合には、中間搬送部を設けなくても第１搬送部５０から第２搬送部７０に紙幣をスムーズに受け渡すことができるようになるため、紙幣の搬送方向における表裏反転装置４０の長さを小さくすることができる。このことにより、表裏反転装置４０をより一層コンパクトなものとすることができる。なお、第１搬送部として、互いに表面が接触する一対のベルト（第１ベルト）を有する第１搬送部が用いられる場合には、第１搬送部による紙幣の搬送面に直交する方向における一対のベルトの間に形成されるニップ部の位置と、第２搬送部７０の入口部分（具体的には、一対の入口側ローラ７４、７８の間に形成されるニップ部）の位置とが互いに異なるようにする。
【００４４】
また、本実施の形態の表裏反転装置４０においては、上述したように、ガイド部６０は、第１搬送部５０による紙幣の搬送面に対して搬送方向において傾斜している傾斜部分（具体的には、第１ガイド部分６２、第２ガイド部分６４、第３ガイド部分６６）を含んでいる。このことにより、第１搬送部５０により搬送される紙幣における右側半分の領域はガイド部６０の傾斜部分によって当該第１搬送部５０による紙幣の搬送面（具体的には、ガイド部材４４の表面）から上方に持ち上げられるようになる。このことによって、紙幣の幅方向における一部分が搬送方向を中心として所定回りに略９０°変位させられるようになる。
【００４５】
また、本実施の形態の表裏反転装置４０においては、上述したように、第２搬送部７０の入口部分（具体的には、一対の入口側ローラ７４、７８の間に形成されるニップ部）は、表裏反転装置４０の幅方向における中央位置からずれた位置に設けられている（図１１参照）。この場合には、第２搬送部７０の入口部分で挟持される紙幣の一部分が当該紙幣の中央位置から幅方向にずれていた場合でも、第２搬送部７０により略９０°変位させられた後の紙幣は表裏反転装置４０の幅方向における略中央に位置するようになる。
【００４６】
なお、本発明による表裏反転装置は、上述したような態様に限定されることはなく、様々な変更を加えることができる。
【００４７】
例えば、本実施の形態による表裏反転装置の第２搬送部として、各循環ベルト７２、７６の代わりに、図１７および図１８に示すような複数の搬送ローラ９１、９２ａ〜９２ｅ、９４、９６ａ〜９６ｅを有する第２搬送部９０が用いられてもよい。図１７は、変形例に係る表裏反転装置の第２搬送部９０における複数の搬送ローラ９１、９２ａ〜９２ｅ、９４、９６ａ〜９６ｅの構成を示す斜視図であり、図１８は、図１７に示す複数の搬送ローラ９１、９２ａ〜９２ｅ、９４、９６ａ〜９６ｅの上面図である。
【００４８】
図１７および図１８に示すように、変形例に係る表裏反転装置では、第２搬送部９０として、各循環ベルト７２、７６の代わりに、紙幣の搬送方向に沿って並ぶよう、一対の搬送ローラ（第２ローラ）９２ａ〜９２ｅ、９６ａ〜９６ｅが５組設けられている。また、これらの各組の一対の搬送ローラ９２ａ〜９２ｅ、９６ａ〜９６ｅの上流側には一対の搬送ローラ９１、９４（入口側ローラ）が設けられている。これらの各組の搬送ローラ９１、９２ａ〜９２ｅ、９４、９６ａ〜９６ｅにおいて、一方の搬送ローラ９１、９２ａ〜９２ｅが他方の搬送ローラ９４、９６ａ〜９６ｅによりそれぞれ押圧されることによりこれらの各組の一対の搬送ローラ９１、９２ａ〜９２ｅ、９４、９６ａ〜９６ｅの間にそれぞれニップ部が形成されるようになっている。そして、第２搬送部９０において各搬送ローラ９１、９２ａ〜９２ｅ、９４、９６ａ〜９６ｅにより搬送される紙幣は各組の一対の搬送ローラ９１、９２ａ〜９２ｅ、９４、９６ａ〜９６ｅの間に形成されるニップ部を通過するようになっている。また、図１７および図１８に示すように、最も上流側に位置する一対の搬送ローラ９１、９４の間のニップ部は垂直方向を向いているのに対し、下流側の搬送ローラに向かうに従ってニップ部が徐々に垂直方向に対して角度を有するようになり、最も下流側の搬送ローラ９２ｅ、９６ｅの間のニップ部は水平方向を向くようになる。このように、各組の一対の搬送ローラ９１、９２ａ〜９２ｅ、９４、９６ａ〜９６ｅの間に形成されるニップ部の向きは、入口側のニップ部の向きに対して出口側のニップ部の向きが９０°ねじれている。このため、各搬送ローラ９１、９２ａ〜９２ｅ、９４、９６ａ〜９６ｅによりその幅方向における一部分が搬送される紙幣は、紙幣の搬送方向に沿って見たときに当該搬送方向を中心として反時計回りに略９０°変位させられる。
【００４９】
また、変形例に係る表裏反転装置において、図１７および図１８に示すような各組の一対の搬送ローラ９１、９２ａ〜９２ｅ、９４、９６ａ〜９６ｅを有する第２搬送部９０を用いた場合にも、第１搬送部５０による紙幣の搬送面に直交する方向において、第１搬送部５０（具体的には、各組の一対の搬送ローラ５４、５６の間に形成されるニップ部）の位置と、第２搬送部９０の入口部分（具体的には、一対の搬送ローラ９１、９４の間に形成されるニップ部）の位置とが互いに異なるようになっていることが望ましい。この場合には、第１搬送部５０と第２搬送部９０とが互いに干渉してしまうことを防止することができ、よって紙幣の搬送方向における表裏反転装置の長さを小さくすることができる。このことにより、表裏反転装置をより一層コンパクトなものとすることができる。また、表裏反転装置の幅方向において一対の搬送ローラ９１、９４の間に形成されるニップ部の位置が表裏反転装置の幅方向における中央位置からずれていることが望ましい。また、第２搬送部９０により略９０°変位させられる紙幣の幅方向における一部分が、当該紙幣の幅方向における中央位置からずれた位置となるよう、第２搬送部９０が配置されていることが望ましい。
【００５０】
また、図１に示す紙幣処理機１０では、鉛直方向に延びる第１搬送機構１６ｂに、本発明に係る表裏反転装置が設けられるような態様が示されているが、このような態様に限定されることはない。他の例として、鉛直方向に対して傾斜している搬送機構や、水平方向に延びる搬送機構に、本発明に係る表裏反転装置が設けられるようになっていてもよい。
【００５１】
また、本発明に係る表裏反転装置は、紙幣の表裏を反転させるものに限定されることはない。本発明に係る表裏反転装置として、紙幣以外の紙葉類（例えば、小切手や商品券等）の表裏を反転させるものが用いられてもよい。また、本発明に係る紙葉類処理機は、紙幣の処理を行う紙幣処理機に限定されることはない。本発明に係る紙葉類処理機として、紙幣以外の紙葉類の処理を行うとともに、この紙葉類の表裏を反転させる表裏反転装置が設けられたものが用いられてもよい。
【符号の説明】
【００５２】
１０    紙幣処理機
１１    筐体
１２    取込部
１４    繰出機構
１６    搬送機構
１６ａ  上流側搬送機構
１６ｂ  第１搬送機構
１６ｃ  第２搬送機構
１６ｄ  下流側搬送機構
１８    識別部
２０ａ〜２０ｄ  集積部
２２ａ、２２ｂ  リジェクト部
３０ａ〜３０ｃ  分岐部材
３２ａ、３２ｂ  分岐部材
３３    分岐部材
３４    制御部
４０    表裏反転装置
４２    上側板状部材
４３    下側板状部材
４４    ガイド部材
４６    搬送ローラ
４６ａ  駆動軸
４８    搬送ローラ
５０    第１搬送部
５２    ガイド部材
５４、５６  搬送ローラ
５６ａ  駆動軸
６０    ガイド部
６２    第１ガイド部分
６４    第２ガイド部分
６６    第３ガイド部分
６８    隙間
７０    第２搬送部
７２    循環ベルト
７２ａ  一部分
７３    プーリ
７４    入口側ローラ
７６    循環ベルト
７６ａ  一部分
７７    プーリ
７８    入口側ローラ
８０    上側紙幣ガイド部材
８２    上方右側部分
８４    上方左側部分
８６    上方傾斜部分
８８    下側紙幣ガイド部材
８８ａ  下方右側部分
８８ｂ  下方左側部分
８８ｃ  下方傾斜部分
９０    第２搬送部
９１    搬送ローラ
９２ａ〜９２ｅ  搬送ローラ
９４    搬送ローラ
９６ａ〜９６ｅ  搬送ローラ
【図１】
2018140862.tif 000003
【図２】
2018140862.tif 000004
【図３】
2018140862.tif 000005
【図４】
2018140862.tif 000006
【図５】
2018140862.tif 000007
【図６】
2018140862.tif 000008
【図７】
2018140862.tif 000009
【図８】
2018140862.tif 000010
【図９】
2018140862.tif 000011
【図１０】
2018140862.tif 000012
【図１１】
2018140862.tif 000013
【図１２】
2018140862.tif 000014
【図１３】
2018140862.tif 000015
【図１４】
2018140862.tif 000016
【図１５】
2018140862.tif 000017
【図１６】
2018140862.tif 000018
【図１７】
2018140862.tif 000019
【図１８】
2018140862.tif 000020